(57)【要約】【課題】コンデンサが温度上限に達することを抑制できる電力変換装置を提供すること。【解決手段】電力変換装置１００は、コネクタ６０と、電力変換回路の一部であり複数のコンデンサ素子を有する平滑コンデンサ１０と、電力変換回路の一部である半導体装置４２と、入力コネクタと平滑コンデンサと半導体装置に接続されたバスバ２０，３０とを備えている。また、電力変換装置は、半導体装置が取り付けられており冷却水路の一部が形成され半導体装置を冷却する冷却部４１ｃと、冷却水路の他の一部が形成され冷却部と接続されたジョイント部４１ａ，４１ｂとを有した冷却器４１を備えている。冷却部は、平滑コンデンサの長手方向の壁面に対向配置されている。バスバは、平滑コンデンサと半導体装置とを接続する対向部２３，３３と、コネクタに接続されておりジョイント部の対向領域に一部が配置された入力部２４，３４と、を含んでいる。【選択図】図１
2020202619.tif 000002
【特許請求の範囲】
【請求項１】
入力コネクタ（６０）と、
電力変換回路の一部であり、複数のコンデンサ素子を有するコンデンサ（１０、１０ａ）と、
前記電力変換回路の一部である半導体装置（４２）と、
前記入力コネクタと前記コンデンサと前記半導体装置に接続されたバスバ（２０、２０ａ、３０、３０ａ）と、
前記半導体装置が取り付けられており冷却水路の一部が形成され前記半導体装置を冷却する冷却部（４１ｃ）と、前記冷却水路の他の一部が形成され前記冷却部と接続されたジョイント部（４１ａ、４１ｂ）とを有した冷却器（４１）と、を備え、
前記冷却部は、前記コンデンサの長手方向の壁面に対向配置されており、
前記バスバは、前記コンデンサと前記半導体装置とを接続するコンデンサ接続部（２３、３３）と、前記入力コネクタに接続されており、前記ジョイント部の対向領域に一部が配置された入力部（２４、３４）と、を含んでいる電力変換装置。
【請求項２】
前記入力部は、前記ジョイント部を跨いで配置されている請求項１に記載の電力変換装置。
【請求項３】
前記ジョイント部は、前記冷却部への冷却水の流入経路と、前記冷却部からの前記冷却水の流出経路とを有しており、
前記入力部は、前記流入経路と前記流出経路の２経路を跨いで配置されている請求項２に記載の電力変換装置。
【請求項４】
前記ジョイント部は、前記冷却部への冷却水の流入経路と、前記冷却部からの前記冷却水の流出経路とを有しており、
前記入力部の一部は、前記流入経路の対向領域に配置されている請求項２に記載の電力変換装置。
【請求項５】
前記コンデンサは、前記流入経路の対向領域に配置されている請求項３または４に記載の電力変換装置。
【請求項６】
前記流入経路と前記流出経路との間に配置された放電抵抗を有する請求項３〜５のいずれか１項に記載の電力変換装置。
【請求項７】
前記入力部は、前記コンデンサ内に配置されることなく、前記コンデンサ接続部に接続されている請求項１〜６のいずれか１項に記載の電力変換装置。
【請求項８】
前記バスバは、別体に構成された前記入力部と前記コンデンサ接続部とが接続されている請求項７に記載の電力変換装置。
【請求項９】
前記コンデンサと前記半導体装置に接続された放電抵抗（５０）と、
前記バスバは、前記コンデンサ接続部と前記入力部に加えて、前記コンデンサ接続部から分岐し、前記放電抵抗に接続された分岐部（２５、３５）と、を備えている請求項１〜５のいずれか１項に記載の電力変換装置。
【発明の詳細な説明】
【技術分野】
【０００１】
本開示は、電力変換装置に関する。
【背景技術】
【０００２】
従来、電力変換装置の一例として、特許文献１に開示された電力変換装置がある。電力変換装置は、半導体モジュールと冷却器とからなる構造体と、コンデンサとを備えている。
【先行技術文献】
【特許文献】
【０００３】
【特許文献１】特許第６３０３９６１号公報
【発明の概要】
【発明が解決しようとする課題】
【０００４】
しかしながら、電力変換装置は、コンデンサの発熱を抑えるべく、局所発熱を抑えたり冷却箇所を増やしたりする仕組みになっていない。このため、電力変換装置は、コンデンサが温度上限に達し易いという問題がある。
【０００５】
本開示は、上記問題点に鑑みなされたものであり、コンデンサが温度上限に達することを抑制できる電力変換装置を提供することを目的とする。
【課題を解決するための手段】
【０００６】
上記目的を達成するために本開示は、
入力コネクタ（６０）と、
電力変換回路の一部であり、複数のコンデンサ素子を有するコンデンサ（１０、１０ａ）と、
電力変換回路の一部である半導体装置（４２）と、
入力コネクタとコンデンサと半導体装置に接続されたバスバ（２０、２０ａ、３０、３０ａ）と、
半導体装置が取り付けられており冷却水路の一部が形成され半導体装置を冷却する冷却部（４１ｃ）と、冷却水路の他の一部が形成され冷却部と接続されたジョイント部（４１ａ、４１ｂ）とを有した冷却器（４１）と、を備え、
冷却部は、コンデンサの長手方向の壁面に対向配置されており、
バスバは、コンデンサと半導体装置とを接続するコンデンサ接続部（２３、３３）と、入力コネクタに接続されており、ジョイント部の対向領域に一部が配置された入力部（２４、３４）と、を含んでいる。
【０００７】
本開示は、コンデンサの長手方向の壁面に冷却部が対向配置されているため、コンデンサと冷却部との対向面積を増やすことができる。よって、本開示は、コンデンサを効率的に冷却することができる。また、本開示は、バスバにおける入力部の一部が、冷却器のジョイント部の対向領域に配置されているため、コンデンサに接続されたバスバ（入力部）も冷却することができる。このように、本開示は、コンデンサだけでなく、コンデンサに接続されたバスバも冷却することができるため、コンデンサが温度上限に達することを抑制できる。
【０００８】
なお、特許請求の範囲、及びこの項に記載した括弧内の符号は、一つの態様として後述する実施形態に記載の具体的手段との対応関係を示すものであって、本開示の技術的範囲を限定するものではない。
【図面の簡単な説明】
【０００９】
【図１】第１実施形態における電力変換装置の概略構成を示す側面図である。
【図２】図１のII‐II線に沿う断面図である。
【図３】図１のIII‐III線に沿う断面図である。
【図４】第１実施形態における平滑コンデンサとパワーモジュールの位置関係を示す平面図である。
【図５】第１実施形態における平滑コンデンサの概略構成を示す斜視図である。
【図６】第１実施形態におけるバスバの概略構成を示す斜視図である。
【図７】第１実施形態における半導体装置の概略構成を示す平面図である。
【図８】第２実施形態における電力変換装置の概略構成を示す側面図である。
【図９】図８のIX‐IX線に沿う断面図である。
【図１０】図８のX‐X線に沿う断面図である。
【図１１】第２実施形態における平滑コンデンサとパワーモジュールの位置関係を示す平面図である。
【図１２】第２実施形態における平滑コンデンサの概略構成を示す斜視図である。
【図１３】第２実施形態における放電抵抗とパワーモジュールの位置関係を示す斜視図である。
【発明を実施するための形態】
【００１０】
以下において、図面を参照しながら、本開示を実施するための複数の形態を説明する。各形態において、先行する形態で説明した事項に対応する部分には同一の参照符号を付して重複する説明を省略する場合がある。各形態において、構成の一部のみを説明している場合は、構成の他の部分については先行して説明した他の形態を参照し適用することができる。なお、以下においては、互いに直交する３方向をＸ方向、Ｙ方向、Ｚ方向と示す。
【００１１】
（第１実施形態）
図１〜図７を用いて、本実施形態の電力変換装置に関して説明する。本実施形態では、一例として、バッテリの電力を電力変換してモータを駆動する電力変換装置１００を採用する。
【００１２】
電力変換装置１００は、図１に示すように、平滑コンデンサ１０、パワーモジュール４０、放電抵抗５０などを含む回路部を備えている。回路部は、これらの構成要素に加えて回路基板や、フィルタコンデンサ、リアクトルなどを含んでいてもよい。また、電力変換装置１００は、これら回路部の各回路部品を電気的に接続するためのバスバ２０，３０を備えている。電力変換装置１００は、回路部品がバスバ２０，３０などによって接続されて、インバータやコンバータを含む電力変換回路が構成されている。なお、図１では、回路部の構成をわかりやすくするために、平滑コンデンサ１０を破線で示している。
【００１３】
さらに、電力変換装置１００は、電力変換装置１００の外部に設けられた電源（バッテリなど）と、回路部とを電気的に接続するためのコネクタ６０を有している。また、電力変換装置１００は、回路部及びバスバ２０，３０などを収容するハウジング７０を備えている。
【００１４】
ハウジング７０は、回路部及びバスバ２０，３０などを収容可能に構成されていればよい。ハウジング７０は、例えば、底部と底部から突出して設けられた環状の壁部とを有するケースに、カバーが取り付けられるものなどを採用できる。
【００１５】
コネクタ６０は、ハウジング７０に取り付けられている。コネクタ６０は、コネクタケースと、コネクタケースに一体的に設けられた外部接続端子とを有している。コネクタ６０は、入力コネクタに相当する。
【００１６】
まず、各回路部品の構成に関して説明する。平滑コンデンサ１０は、電力変換回路の一部であり、コンデンサに相当する。平滑コンデンサ１０は、複数のコンデンサ素子を有している。また、平滑コンデンサ１０は、複数のコンデンサ素子を収容しているコンデンサケースを有している。
【００１７】
平滑コンデンサ１０は、図１、図２、図３、図５に示すように、第１端子１１、第２端子１２、第３端子１３、第４端子１４を有している。各端子１１〜１４は、一端がコンデンサケース内に配置されて、コンデンサ素子の電極に接続されている。詳述すると、第１端子１１と第３端子１３は、コンデンサ素子の負極側の電極に接続されている。一方、第２端子１２と第４端子１４は、コンデンサ素子の正極側の電極に接続されている。また、図５に示すように、各端子１１〜１４は、他端がコンデンサケースから突出して設けられている。
【００１８】
本実施形態では、一例として、直方体形状の平滑コンデンサ１０を採用している。平滑コンデンサ１０は、長手方向がＹ方向と一致している。平滑コンデンサ１０は、長手方向に沿って、各端子１１〜１４が並んで配置されている。しかしながら、本開示は、これに限定されず、円筒形状などの平滑コンデンサ１０であっても採用できる。また、本開示は、平滑コンデンサ１０に限定されない。
【００１９】
バスバ２０，３０は、コネクタ６０と平滑コンデンサ１０と半導体装置４２に接続されている。バスバ２０，３０は、例えば、銅やアルミニウムなどを主成分として構成されている。バスバ２０，３０は、板材をプレス加工することで形成されている。バスバ２０，３０は、Ｐバスバ２０とＮバスバ３０と含んでいる。
【００２０】
図１、図６に示すように、Ｐバスバ２０は、Ｐ側対向部２３、Ｐ側入力部２４、Ｐ側分岐部２５を含んでいる。Ｐバスバ２０は、別体に設けられたＰ側対向部２３、Ｐ側入力部２４、Ｐ側分岐部２５が接続されて構成されている。Ｐバスバ２０は、Ｐ側対向部２３の一部にＰ側入力部２４が接続されており、Ｐ側対向部２３の他の一部にＰ側分岐部２５が接続されている。よって、Ｐバスバ２０は、Ｐ側対向部２３に対して、Ｐ側入力部２４とＰ側分岐部２５とが突出して設けられていると言える。
【００２１】
なお、Ｐ側対向部２３とＰ側入力部２４は、ねじなどによって接続されている。同様に、Ｐ側対向部２３とＰ側分岐部２５は、ねじなどによって接続されている。つまり、Ｐ側対向部２３とＰ側入力部２４、及び、Ｐ側対向部２３とＰ側分岐部２５は、ねじによって、部分的に接続されていると言える。
【００２２】
Ｐ側対向部２３は、コンデンサ接続部に相当する。図１に示すように、Ｐ側対向部２３は、平滑コンデンサ１０及びパワーモジュール４０に対向する部位である。Ｐ側対向部２３は、Ｚ方向からみた場合に矩形状をなしている。つまり、Ｐ側対向部２３は、ＸＹ平面に平行な矩形状の板材を含んでいる。Ｐ側対向部２３は、第１Ｐ端子２１が連なって設けられており、且つ、第２Ｐ端子２２が連なって設けられている。言い換えると、第１Ｐ端子２１と第２Ｐ端子２２は、Ｐ側対向部２３から一方向に突出して設けられている。そして、第１Ｐ端子２１と第２Ｐ端子２２は、Ｙ方向に間隔をおいて配置されている。なお、Ｐ側対向部２３は、第１Ｐ端子２１及び第２Ｐ端子２２と一体物として構成されている。
【００２３】
図６に示すように、Ｐ側対向部２３は、複数のＰ側挿入穴２６が設けられている。Ｐ側挿入穴２６は、Ｐ側対向部２３に対して厚み方向（Ｚ方向）に貫通して設けられた穴である。Ｐ側挿入穴２６は、後程説明する各半導体装置４２の第１主端子４２ｂが挿入される穴である。
【００２４】
Ｐ側入力部２４は、入力部に相当する。Ｐ側入力部２４は、Ｐ側対向部２３に対して入力側に設けられた部位である。Ｐ側入力部２４は、一端が外部接続端子としてコネクタケースに取り付けられおり、他端がＰ側対向部２３に接続されている。よって、Ｐ側入力部２４は、コネクタ６０とＰ側対向部２３とを接続していると言える。
【００２５】
Ｐ側分岐部２５は、Ｐ側対向部２３に対してＰ側入力部２４とは異なる箇所に設けられた部位である。Ｐ側分岐部２５は、一端がＰ側延設部２５１及びワイヤを介して放電抵抗５０の電極に接続されており、他端がＰ側対向部２３に接続されている。なお、Ｐ側分岐部２５は、Ｐ側延設部２５１及びワイヤを介さずに放電抵抗５０の電極に接続されていてもよいし、Ｐ側延設部２５１及びワイヤの一方のみを介して放電抵抗５０の電極に接続されていてもよい。本実施形態では、一例として、Ｐ側分岐部２５の先端に、Ｐ側延設部２５１が接続された例を採用している。しかしながら、本開示は、これに限定されず、Ｐ側延設部２５１が接続されていなくてもよい。
【００２６】
このように、Ｐバスバ２０は、Ｐ側対向部２３とＰ側入力部２４に加えて、Ｐ側対向部２３から分岐し、放電抵抗５０に接続されたＰ側分岐部２５を有している。このため、Ｐバスバ２０は、Ｐ側対向部２３が直接放電抵抗５０に接続されている構成よりも、放電抵抗５０から発せられた熱が平滑コンデンサ１０とＰ側入力部２４に伝導しにくい。また、電力変換装置１００は、Ｐ側対向部２３が直接放電抵抗５０に接続されている構成よりも、平滑コンデンサ１０から放電抵抗５０を遠ざけることができる。このため、Ｐバスバ２０は、Ｐ側対向部２３が直接放電抵抗５０に接続されている構成よりも、放電抵抗５０から発せられた熱が平滑コンデンサ１０とＰ側入力部２４に伝導しにくい。よって、電力変換装置１００は、平滑コンデンサ１０の温度上昇を抑制できる。
【００２７】
図１、図６に示すように、Ｎバスバ３０は、Ｎ側対向部３３、Ｎ側入力部３４、Ｎ側分岐部３５を含んでいる。Ｎバスバ３０は、別体に設けられたＮ側対向部３３、Ｎ側入力部３４、Ｎ側分岐部３５が接続されて構成されている。Ｎバスバ３０は、Ｎ側対向部３３の一部にＮ側入力部３４が接続されており、Ｎ側対向部３３の他の一部にＮ側分岐部３５が接続されている。よって、Ｎバスバ３０は、Ｎ側対向部３３に対して、Ｎ側入力部３４とＮ側分岐部３５とが突出して設けられている。
【００２８】
なお、Ｎ側対向部３３とＮ側入力部３４は、ねじなどによって接続されている。同様に、Ｎ側対向部３３とＮ側分岐部３５は、ねじなどによって接続されている。つまり、Ｎ側対向部３３とＮ側入力部３４、及び、Ｎ側対向部３３とＮ側分岐部３５は、ねじによって、部分的に接続されていると言える。
【００２９】
Ｎ側対向部３３は、コンデンサ接続部に相当する。図１に示すように、Ｎ側対向部３３は、平滑コンデンサ１０及びパワーモジュール４０に対向する部位である。Ｎ側対向部３３は、Ｚ方向からみた場合に矩形状をなしている。つまり、Ｎ側対向部３３は、ＸＹ平面に平行な矩形状の板材である。Ｎ側対向部３３は、第１Ｎ端子３１が連なって設けられており、且つ、第２Ｎ端子３２が連なって設けられている。言い換えると、第１Ｎ端子３１と第２Ｎ端子３２は、Ｎ側対向部３３から一方向に突出して設けられている。そして、第１Ｎ端子３１と第２Ｎ端子３２は、Ｙ方向に間隔をおいて配置されている。なお、Ｎ側対向部３３は、第１Ｎ端子３１及び第２Ｎ端子３２と一体物として構成されている。
【００３０】
図６に示すように、Ｎ側対向部３３は、複数のＮ側挿入穴３６が設けられている。Ｎ側挿入穴３６は、Ｎ側対向部３３に対して厚み方向（Ｚ方向）に貫通して設けられた穴である。Ｎ側挿入穴３６は、後程説明する各半導体装置４２の第２主端子４２ｃが挿入される穴である。さらに、Ｎ側対向部３３は、複数のＰ側挿入穴２６に対向する部位と、その周辺に貫通穴３７が設けられている。貫通穴３７は、後程説明する各半導体装置４２の第１主端子４２ｂが挿入される穴である。
【００３１】
Ｎ側入力部３４は、入力部に相当する。Ｎ側入力部３４は、Ｎ側対向部３３に対して入力側に設けられた部位である。Ｎ側入力部３４は、一端が外部接続端子としてコネクタケースに取り付けられおり、他端がＮ側対向部３３に接続されている。よって、Ｎ側入力部３４は、コネクタ６０とＮ側対向部３３とを接続していると言える。
【００３２】
Ｎ側分岐部３５は、Ｎ側対向部３３に対してＮ側入力部３４とは異なる箇所に設けられた部位である。Ｎ側分岐部３５は、一端がＮ側延設部３５１及びワイヤを介して放電抵抗５０の電極に接続されており、他端がＮ側対向部３３に接続されている。よって、放電抵抗５０は、バスバ２０，３０を介して、平滑コンデンサ１０と半導体装置４２に接続されている。本実施形態では、図１では、ねじ８１によって延設部２５１，３５１と放電抵抗５０とが接続された例を採用しており、図６では、ワイヤによって延設部２５１，３５１と放電抵抗５０とが接続された例を採用している。
【００３３】
なお、Ｎ側分岐部３５は、Ｎ側延設部３５１及びワイヤを介さずに放電抵抗５０の電極に接続されていてもよいし、Ｎ側延設部３５１及びワイヤの一方のみを介して放電抵抗５０の電極に接続されていてもよい。本実施形態では、一例として、Ｎ側分岐部３５の先端に、Ｎ側延設部３５１が接続された例を採用している。しかしながら、本開示は、これに限定されず、Ｎ側延設部３５１が接続されていなくてもよい。
【００３４】
このように、Ｎバスバ３０は、Ｎ側対向部３３とＮ側入力部３４に加えて、Ｎ側対向部３３から分岐し、放電抵抗５０に接続されたＮ側分岐部３５を有している。このため、Ｎバスバ３０は、Ｎ側対向部３３が直接放電抵抗５０に接続されている構成よりも、放電抵抗５０から発せられた熱が平滑コンデンサ１０とＮ側入力部３４に伝導しにくい。また、電力変換装置１００は、Ｎ側対向部３３が直接放電抵抗５０に接続されている構成よりも、平滑コンデンサ１０から放電抵抗５０を遠ざけることができる。このため、Ｎバスバ３０は、Ｎ側対向部３３が直接放電抵抗５０に接続されている構成よりも、放電抵抗５０から発せられた熱が平滑コンデンサ１０とＮ側入力部３４に伝導しにくい。よって、電力変換装置１００は、平滑コンデンサ１０の温度上昇を抑制できる。
【００３５】
また、電力変換装置１００は、延設部２５１，３５１やワイヤを介して、対向部２３，３３と放電抵抗５０とが接続されている。よって、電力変換装置１００は、放電抵抗５０の配置個所を平滑コンデンサ１０から遠ざけることができる。このため、電力変換装置１００は、放電抵抗５０から発せられた熱が平滑コンデンサ１０に伝導しにくく、平滑コンデンサ１０の温度上昇が抑えられる。
【００３６】
パワーモジュール４０は、図１などに示すように、冷却器４１と半導体装置４２と有し、冷却器４１と半導体装置４２とが一体的に組み付けられている。
【００３７】
冷却器４１は、半導体装置４２が取り付けられており冷却水路４１ｄの一部が形成され半導体装置４２を冷却する冷却部４１ｃと、冷却水路４１ｄの他の一部が形成され冷却部４１ｃと接続されたジョイント部４１ａ、４１ｂとを有している。冷却器４１は、冷却水路４１ｄに冷却水（冷却液）が流れる。言い換えると、冷却器４１は、冷却部４１ｃ内とジョイント部４１ａ、４１ｂ内を冷却水が循環する。冷却器４１は、二つの冷却部４１ｃによって一つの半導体装置４２を挟み込むことで、半導体装置４２を固定（保持）している。
【００３８】
第１ジョイント部４１ａと第２ジョイント部４１ｂは、一端が開口しており、冷却水の流入口又は流出口となっている。第１ジョイント部４１ａと第２ジョイント部４１ｂは、一方が冷却水の流入側であり、他方が冷却水の流出側である。また、ジョイント部４１ａ、４１ｂは、冷却部４１ｃへの冷却水の流入経路と、冷却部４１ｃからの冷却水の流出経路とを有していると言える。
【００３９】
本実施形態では、一例として、第１ジョイント部４１ａが流入側で、第２ジョイント部４１ｂが流出側とする。よって、この場合、第１ジョイント部４１ａは、冷却部４１ｃへの冷却水の流入経路を有している。一方、第２ジョイント部４１ｂは、冷却部４１ｃからの冷却水の流出経路を有している。このため、冷却水は、第１ジョイント部４１ａから各冷却部４１ｃを流れ、第２ジョイント部４１ｂから外部へと流れる。なお、冷却器４１は、例えば、特開２０１８−１０１６６６号公報に記載されたものなどを採用することができる。
【００４０】
半導体装置４２は、図７に示すように、本体部４２ａ、第１主端子４２ｂ、第２主端子４２ｃ、出力端子４２ｄ、及び複数の信号端子４２ｅを有している。半導体装置４２は、電力変換回路の一部である。本体部４２ａは、ＭＯＳＦＥＴやＩＧＢＴなどを半導体素子が設けられている。各端子４２ｂ〜４３ｅは、半導体素子の複数の電極に個別に接続されている。本実施形態では、一例として、９個の半導体装置４２が冷却器４１に取り付けられている例を採用している。しかしながら、半導体装置４２の個数は、これに限定されない。
【００４１】
次に、図１〜図４を用いて、各回路部品の搭載構造に関して説明する。電力変換装置１００は、パワーモジュール４０、Ｎ側対向部３３、Ｐ側対向部２３、平滑コンデンサ１０の順番でＺ方向に積層配置されている。Ｎ側対向部３３、Ｐ側対向部２３、平滑コンデンサ１０は、パワーモジュール４０のＺ方向における対向領域の一部に配置されている。つまり、図１に示すように、パワーモジュール４０、Ｎ側対向部３３、Ｐ側対向部２３、平滑コンデンサ１０は、部分的にオーバーラップして配置されている。
【００４２】
平滑コンデンサ１０は、ハウジング７０にねじなどによって固定されている。本実施形態では、パワーモジュール４０に対して平滑コンデンサ１０が縦置き配置された例を採用している。しかしながら、本開示は、これに限定されず、横置き配置されていてもよい。
【００４３】
電力変換装置１００は、Ｐバスバ２０とＮバスバ３０とを重ねて配置した状態で、第２Ｐ端子２２、第２Ｎ端子３２、第１Ｐ端子２１、第１Ｎ端子３１がこの順番で並んで配置される。また、平滑コンデンサ１０は、Ｎ側対向部３３及びＰ側対向部２３と積層配置される。この状態で、第１端子１１は、第１Ｎ端子３１と対向配置される。第２端子１２は、第１Ｐ端子２１と対向配置される。第３端子１３は、第２Ｎ端子３２と対向配置される。第４端子１４は、第２Ｐ端子２２と対向配置される。
【００４４】
そして、第１端子１１は、第１Ｎ端子３１とねじ８０によって接続されている。第２端子１２は、第１Ｐ端子２１とねじ８０によって接続されている。第３端子１３は、第２Ｎ端子３２とねじ８０によって接続されている。第４端子１４は、第２Ｐ端子２２とねじ８０によって接続されている。このように、本実施形態では、端子どうしを接続する固定部材としてねじ８０を採用している。しかしながら、本開示は、これに限定されず、ねじ８０とは異なる固定部材で接続してもよい。
【００４５】
また、電力変換装置１００は、パワーモジュール４０上にＮバスバ３０が配置され、Ｎバスバ３０上にＰバスバ２０が配置されている。これによって、電力変換装置１００は、Ｐ側対向部２３とＮ側対向部３３とが部分的に重なった状態で配置されている。Ｐ側対向部２３は、貫通穴３７を通り、Ｐ側挿入穴２６に挿入された第１主端子４２ｂと接続されている。Ｎ側対向部３３は、Ｎ側挿入穴３６に挿入された第２主端子４２ｃと接続されている。Ｐ側対向部２３と第１主端子４２ｂ、及びＮ側対向部３３と第２主端子４２ｃは、例えば、はんだなどの導電性の接続部材によって接続されている。このように、Ｎ側対向部３３及びＰ側対向部２３は、平滑コンデンサ１０及び半導体装置４２と電気的に接続されている。なお、重なった状態とは、Ｐ側対向部２３とＮ側対向部３３とが離間しつつ対向配置されている状態である。
【００４６】
バスバ２０，３０は、上記のように、別体に構成された入力部２４，３４と対向部２３，３３とが接続されている。また、入力部２４，３４は、平滑コンデンサ１０内に配置されることなく、対向部２３，３３に接続されている。つまり、入力部２４，３４は、コンデンサケース内に配置されておらず、コンデンサケースの外部に配置されている。言い換えると、電力変換装置１００は、バスバ２０、３０が平滑コンデンサ１０の外部に配置されている。そして、入力部２４，３４は、対向部２３，３３を介して、平滑コンデンサ１０と電気的に接続されている。よって、対向部２３，３３は、入力部２４，３４を介して、コネクタ６０とも電気的に接続されている。
【００４７】
このように、電力変換装置１００は、ＤＣ電流が平滑コンデンサ１０の内部を通らないため、平滑コンデンサ１０の発熱を低減できる。また、電力変換装置１００は、バスバ２０、３０が平滑コンデンサ１０内に配置されている場合よりも、平滑コンデンサ１０の温度上昇を抑えられるとも言える。
【００４８】
さらに、電力変換装置１００は、別体に構成された入力部２４，３４と対向部２３，３３とが接続されているため、これらの接続点によって、入力部２４，３４の熱が平滑コンデンサ１０に伝導されるのを抑制できる。これによって、電力変換装置１００は、Ｐ側入力部２４とＰ側対向部２３とが一体物として構成され、Ｎ側入力部３４とＮ側対向部３３とが一体物として構成されている場合よりも、平滑コンデンサ１０の温度上昇を抑えられる。
【００４９】
放電抵抗５０は、図１に示すように、平滑コンデンサ１０とは別体に設けられている。つまり、放電抵抗５０は、コンデンサケースの外部配置されている。そして、放電抵抗５０は、分岐部２５，３５などを介して、平滑コンデンサ１０と電気的に接続されている。このため、電力変換装置１００は、コンデンサケース内に放電抵抗５０が配置されている構成よりも、平滑コンデンサ１０から放電抵抗５０を遠ざけることができる。よって、電力変換装置１００は、放電抵抗５０で発せられた熱が平滑コンデンサ１０に伝導されにくくなり、平滑コンデンサ１０の温度上昇を抑制できる。
【００５０】
図１、図４に示すように、冷却部４１ｃは、平滑コンデンサ１０の長手方向の壁面に対向配置されている。つまり、複数の冷却部４１ｃと半導体装置４２が一体化された構造体は、平滑コンデンサ１０の長手方向に沿って配置され、平滑コンデンサ１０の長手方向の壁面に対向配置されている。よって、冷却器４１は、平滑コンデンサ１０の長手方向の壁面に対向配置されているとも言える。また、パワーモジュール４０は、平滑コンデンサ１０の長手方向の壁面に対向配置されているとも言える。なお、複数の冷却部４１ｃと半導体装置４２が一体化された構造体は、冷却構造体とも称する。
【００５１】
さらに、複数の冷却部４１ｃは、平滑コンデンサ１０の長手方向における中心を通り、長手方向に対して直交する中心線ＣＬ上に配置されている。冷却構造体は、冷却構造体における長手方向の中心が、中心線ＣＬ上に配置されると好ましい。これによって、電力変換装置１００は、冷却器４１によって、平滑コンデンサ１０の複数のコンデンサ素子を均等に冷却しやすくなる。言い換えると、電力変換装置１００は、平滑コンデンサ１０の発熱が均等化することにより、また、平滑コンデンサ１０の冷却箇所が増えることにより、温度に対する平滑コンデンサ１０の効率が向上する。また、電力変換装置１００は、平滑コンデンサ１０の複数のコンデンサ素子を均等に冷却しやすいため、複数のコンデンサ素子が均等に稼働し、平滑コンデンサ１０の局所発熱を抑制できると言える。しかしながら、本開示は、これに限定されず、冷却部４１ｃが平滑コンデンサ１０の長手方向の壁面に対向配置されていればよい。
【００５２】
図１に示すように、入力部２４，３４は、ジョイント部４１ａ，４１ｂを跨いで配置されている。つまり、入力部２４，３４の少なくとも一部は、第１ジョイント部４１ａの対向領域、及び第２ジョイント部４１ｂの対向領域に配置されている。また、入力部２４，３４は、流入経路と流出経路の２経路を跨いで配置されていると言える。これによって、電力変換装置１００は、ジョイント部４１ａ，４１ｂによって入力部２４，３４を冷却することができる。また、電力変換装置１００は、入力部２４，３４がジョイント部４１ａ，４１ｂを跨いで配置されていない構成よりも、入力部２４，３４の高冷却化が望める。
【００５３】
しかしながら、本開示は、これに限定されない。例えば、入力部２４，３４は、ジョイント部４１ａ，４１ｂを跨がずに配置されていてもよい。また、入力部２４，３４は、第１ジョイント部４１ａと第２ジョイント部４１ｂの一方のみを跨ぐように配置されていてもよい。なお、電力変換装置１００は、入力部２４，３４が第１ジョイント部４１ａと第２ジョイント部４１ｂの一方のみを跨ぐように配置されていれば、ジョイント部４１ａ，４１ｂを跨いで配置されていない構成よりも、入力部２４，３４の高冷却化が望める。
【００５４】
また、本実施形態では、一例として、図１に示すように、入力部２４，３４の一部を流入経路としての第１ジョイント部４１ａの対向領域に配置している。つまり、Ｐ側入力部２４とＮ側入力部３４は、第１ジョイント部４１ａ上に、Ｎ側入力部３４、Ｐ側入力部２４の順で積層配置されている。
【００５５】
ところで、流入経路を流れる冷却水は、平滑コンデンサ１０などによって温められていない分、流出経路を流れる冷却水よりも温度が低い。このため、電力変換装置１００は、入力部２４，３４の一部を流入経路としての第１ジョイント部４１ａではなく、流出経路としての第２ジョイント部４１ｂの対向領域に配置されている場合よりも、入力部２４，３４を効率的に冷却できる。
【００５６】
また、本実施形態では、一例として、図１に示すように、平滑コンデンサ１０の一部を流入経路としての第１ジョイント部４１ａの対向領域に配置している。よって、電力変換装置１００は、上記と同様の理由で、平滑コンデンサ１０を効率的に冷却できる。
【００５７】
特に、電力変換装置１００は、平滑コンデンサ１０の長手方向と、第１ジョイント部４１ａの長手方向とが一致しつつ、第１ジョイント部４１ａの対向領域に平滑コンデンサ１０が配置されている。また、第１ジョイント部４１ａは、平滑コンデンサ１０の長手方向の一端から中心線ＣＬよりも他端側に達する範囲で、平滑コンデンサ１０と対向配置されている。このため、電力変換装置１００は、平滑コンデンサ１０における第１ジョイント部４１ａとの対向領域を広くすることができ、平滑コンデンサ１０を効率的に冷却できる。
【００５８】
以上のように、電力変換装置１００は、平滑コンデンサ１０の長手方向の壁面に冷却部４１ｃが対向配置されているため、平滑コンデンサ１０と冷却部４１ｃとの対向面積を増やすことができる。よって、電力変換装置１００は、平滑コンデンサ１０を効率的に冷却することができる。また、電力変換装置１００は、入力部２４，３４の一部が、ジョイント部４１ａ，４１ｂの対向領域に配置されているため、平滑コンデンサ１０に接続された入力部２４，３４も冷却することができる。このように、電力変換装置１００は、平滑コンデンサ１０だけでなく、平滑コンデンサ１０に接続された入力部２４，３４も冷却することができるため、平滑コンデンサ１０が温度上限に達することを抑制できる。
【００５９】
なお、電力変換装置１００は、上記のように、Ｐ側対向部２３とＰ側入力部２４、及び、Ｐ側対向部２３とＰ側分岐部２５がねじによって部分的に接続されている。このため、電力変換装置１００は、放電抵抗５０やコネクタ６０から平滑コンデンサ１０への熱の伝導を抑制することができる。電力変換装置１００は、Ｎバスバ３０でも同様の効果を奏することができる。
【００６０】
以上、本開示の好ましい実施形態について説明した。しかしながら、本開示は、上記実施形態に何ら制限されることはなく、本開示の趣旨を逸脱しない範囲において、種々の変形が可能である。以下に、本開示のその他の形態として、第２実施形態に関して説明する。上記実施形態及び第２実施形態は、夫々単独で実施することも可能であるが、適宜組み合わせて実施することも可能である。本開示は、実施形態において示された組み合わせに限定されることなく、種々の組み合わせによって実施可能である。
【００６１】
（第２実施形態）
図８〜図１３を用いて、第２実施形態の電力変換装置１１０に関して説明する。本実施形態では、主に、電力変換装置１００と異なる箇所を説明する。電力変換装置１１０では、電力変換装置１００と共通する箇所を適用することができる。
【００６２】
図８、図９、図１０、図１１に示すように、電力変換装置１１０は、パワーモジュール４０に対して平滑コンデンサ１０ａが横置きに配置されている。つまり、平滑コンデンサ１０ａとパワーモジュール４０は、Ｘ方向において並んで配置されている。
【００６３】
図１２に示すように、平滑コンデンサ１０ａは、パワーモジュール４０に対して横置きに配置するために、パワーモジュール４０と対向する面から各端子１１〜１４が突出するように構成されている。平滑コンデンサ１０ａは、各端子１１〜１４の位置が平滑コンデンサ１０と異なり、その他の点は平滑コンデンサ１０と同様である。
【００６４】
Ｐバスバ２０ａは、Ｐ側対向部２３ａとＰ側入力部２４ａとを有している。Ｎバスバ３０ａは、Ｎ側対向部３３ａとＮ側入力部３４ａとを有している。バスバ２０ａ，３０ａは、分岐部が設けられていない点がバスバ２０ａ，３０ａと異なる。
【００６５】
図９に示すように、冷却部４１ｃは、上記実施形態と同様、平滑コンデンサ１０ａの長手方向の壁面に対向配置されている。また、図８に示すように、入力部２４，３４は、上記実施形態と同様、ジョイント部４１ａ，４１ｂの対向領域に一部が配置されている。
【００６６】
また、図１３に示すように、電力変換装置１１０は、第１ジョイント部４１ａと第２ジョイント部４１ｂとの間に配置された放電抵抗５０を有する。つまり、放電抵抗５０は、冷却水が流れる第１ジョイント部４１ａと第２ジョイント部４１ｂとに挟まれる位置に設けられている。このため、電力変換装置１１０は、第１ジョイント部４１ａと第２ジョイント部４１ｂによって放電抵抗５０を冷却することができる。また、電力変換装置１１０は、放電抵抗５０から平滑コンデンサ１０に熱が伝達されることを抑制できる。
【００６７】
電力変換装置１１０は、電力変換装置１００と同様の効果を奏することができる。さらに、電力変換装置１１０は、平滑コンデンサ１０ａを横置きにしているため、電力変換装置１００よりも低背化が可能となる。
【符号の説明】
【００６８】
１０，１０ａ…平滑コンデンサ、１１…第１端子、１２…第２端子、１３…第３端子、１４…第４端子、２０，２０ａ…Ｐバスバ、２１…第１Ｐ端子、２２…第２Ｐ端子、２３，２３ａ…Ｐ側対向部、２４，２４ａ…Ｐ側入力部、２５…Ｐ側分岐部、２５１…Ｐ側延設部、２６…Ｐ側挿入穴、３０，３０ａ…Ｎバスバ、３１…第１Ｎ端子、３２…第２Ｎ端子、
３３，３３ａ…Ｎ側対向部、３４，３４ａ…Ｎ側入力部、３５…Ｎ側分岐部、３５１…Ｎ側延設部、３６…Ｎ側挿入穴、３７…貫通穴、４０…パワーモジュール、４１…冷却器、４１ａ…第１ジョイント部、４１ｂ…第２ジョイント部、４１ｃ…冷却部、４１ｄ…冷却水路、４２…半導体装置、４２ａ…本体部、４２ｂ…第１主端子、４２ｃ…第２主端子、４２ｄ…出力端子、４２ｅ…信号端子、５０…放電抵抗、６０…コネクタ、７０…ハウジング、８０，８１…ねじ、１００，１１０…電力変換装置
【図１】
2020202619.tif 000003
【図２】
2020202619.tif 000004
【図３】
2020202619.tif 000005
【図４】
2020202619.tif 000006
【図５】
2020202619.tif 000007
【図６】
2020202619.tif 000008
【図７】
2020202619.tif 000009
【図８】
2020202619.tif 000010
【図９】
2020202619.tif 000011
【図１０】
2020202619.tif 000012
【図１１】
2020202619.tif 000013
【図１２】
2020202619.tif 000014
【図１３】
2020202619.tif 000015